(57)【要約】【課題】洗面盤を格納できる洗面装置において、洗面盤の展開と角の宇土による破損を起こりにくくし、かつ壁面を占有するスペースをコンパクトにする。【解決手段】洗面盤１２を取付基盤１１に対して回動可能に取り付け、使用時には取付基盤１１が有する張り出し部２６に洗面盤１２を当てることでストッパーとして、水を受ける面３２を上方向に向けて固定されて、水道口２２からの水を受けることができ、かつ、使用後には水を受ける面３２を基盤本体２１に向けて立てることで排水し、かつ手前方向への占有幅を使用時より小さくして格納できる壁面格納洗面装置とする。【選択図】図１
2008029806.tif 000002
【特許請求の範囲】
【請求項１】
壁面に接する基盤本体と、前面に取り付けられる水道口と、下部に設けられた排水口とからなり壁面に取り付ける取付基盤、及び水を受ける洗面盤からなる洗面装置であり、
前記洗面盤は、前記取付基盤に対して回動可能に取り付けてあり、使用時には前記取付基盤が有する張り出し部をストッパーとして、水を受ける面を上方向に向けて固定されて前記水道口からの水を受けることができ、かつ、使用後には水を受ける面を前記基盤本体に向けて立てることで排水し、かつ手前方向への占有幅を使用時より小さくして格納することができる、壁面格納洗面装置。
【請求項２】
上記洗面盤は、水を受ける部分を囲む周壁を有し、その周壁の上記取付基盤側の端部に切り欠けを設けてあり、上記洗面盤内の水が前記切り欠けから上記取付基盤の排水口へと流れる、請求項１に記載の壁面格納洗面装置。
【請求項３】
上記取付基盤は、上記基盤本体の左右に側壁を有しており、それぞれの側壁には、内側を向いた柱状突起が設けてあり、
上記洗面盤の両脇面には、水を受ける面側から切り込み、使用時の手前側に向けて鋭角に折れ曲がって、途中で行き止まる溝が刻まれており、
それぞれの前記柱状突起をそれぞれの前記溝に沿って行き止まりまで挿入することで、上記洗面盤を上記取付基盤に対して回動可能にする回動軸とした、請求項１又は２に記載の壁面格納洗面装置。
【請求項４】
上記取付基盤が有する張り出し部として、上記洗面盤を回動可能に取り付ける回動軸よりも上方に、上記基盤本体に対して垂直に延びる水平張り出し部を有し、
上記洗面盤の水を受ける部分を囲む周壁のうち、上記取付基盤側の縁の少なくとも一部が、前記水平張り出し部に下方から当たることで、上記洗面盤が下方へ倒れるのを防ぎ水平方向に向けて固定するストッパーとなる、請求項１乃至３のいずれかに記載の壁面格納洗面装置。
【請求項５】
上記洗面盤の水を受ける底面が弧状面であり、上記取付基盤の上記水平張り出し部は張り出す方向に弧が向いた弧状部分を有しており、
上記洗面盤を上記基盤本体に向けて立てる際には、前記弧状部分の曲線が上記洗面盤の水を受ける底面の弧状面に沿って、この底面と上記水平張り出し部との接触を避けた、請求項４に記載の壁面格納洗面装置。
【請求項６】
上記張り出し部として、上記洗面盤を回動可能に取り付ける回動軸より下方かつ手前側にある、上記取付基盤下部から上方へ延びた上方張り出し部を有し、
この上方張り出し部の上方端に、上記洗面盤の水を受ける側と反対側の面が当たることで、上記洗面盤が下方へ倒れるのを防ぎ、水平方向に向けて固定するストッパーとなる、請求項１乃至５のいずれかに記載の壁面格納洗面装置。
【発明の詳細な説明】
【技術分野】
【０００１】
この発明は、非使用時に洗面盤をコンパクトに格納できる洗面装置に関する。
【背景技術】
【０００２】
一般に洗面台は、吸水口と排水口とを有し、水を受け、一時的に溜めておくことが可能な洗面盤からなる。この洗面盤は、床面を濡らさずに顔や手を洗ったりするために十分な空間を確保するため、壁面から手前に大きく張り出している。
【０００３】
しかし、一般に用いられている洗面台では、洗面盤が張り出している分、使用していない時でも大きくスペースを占有する。これに対して、特許文献１に記載のような壁面に収納可能な洗面台や、特許文献２に記載のような、開口部を有する収納壁を備えてこの収納壁の前面部分で水槽部を回動自在にして収納壁に格納可能とした水回り設備装置が提案されている。
【０００４】
【特許文献１】実公昭４０−３４５２６号公報
【特許文献２】特開平１−２０９０２１号公報
【発明の開示】
【発明が解決しようとする課題】
【０００５】
しかしながら、特許文献１に記載の洗面台は、使用時に水を受ける洗面盤を水平方向に固定するために、間接を有する支持レバーで壁面から吊っており、洗面器の強度試験で要求されるような荷重が洗面盤にかかった場合には、この支持レバーに力学的な負担が集中するため、破損しやすいという問題点があった。また、特許文献２に記載の水回り設備装置では、洗面盤を支える際の負荷は小さいが、壁面に収納壁を取り付けるために収納壁の分のスペースを必要とし、コンパクトなものではなかった。
【０００６】
そこでこの発明は、洗面盤の展開と格納とによる破損を起こりにくくし、かつ、壁面を占有するスペースをコンパクトにした、洗面盤を格納できる洗面装置を提供することを目的とする。
【課題を解決するための手段】
【０００７】
この発明は、壁面に接する基盤本体と、前面に取り付けられる水道口と、下部に設けられた排水口とからなり壁面に取り付ける取付基盤と、水を受ける洗面盤とからなる洗面装置で、前記洗面盤は、前記取付基盤に対して回動可能に取り付けてあり、使用時には前記取付基盤が有する張り出し部に前記洗面盤を当てることでストッパーとして、水を受ける面を上方向に向けて固定されて、水道口からの水を受けることができ、かつ、使用後には水を受ける面を前記基盤本体に向けて立てることで排水し、かつ手前方向への占有幅を使用時より小さくして格納することができる、壁面格納洗面装置を製造することにより、上記の課題を解決したのである。
【発明の効果】
【０００８】
張り出し部をストッパーとして洗面盤を固定するので、張り出し部分を幅広くとることで洗面盤の重量によりかかる負担を分散できるようになり、重量が一点に集中する間接を有する支持レバーを用いて固定するよりも、破損しにくい洗面装置とすることができる。また、格納時でも収納壁などを用いず、壁面に取り付けた取付基盤に向けて洗面盤を立てて固定するだけであるので、壁面で必要とするスペースは最小限に抑えることができる。
【０００９】
また、回動軸を中心にした回動に対して張り出し部をストッパーとして洗面盤を固定するので、レバーを用いて取付基盤と洗面盤とを繋いでおく必要がなくなり、取付基盤と洗面盤とを着脱可能にすることができる。すなわち、洗面盤の両側に設けた溝から取付基盤の回動軸となる柱状突起を外せるようにするといった方法で、洗面盤の着脱を容易に行うことができるので、従来の洗面装置に比べてメンテナンス性が向上した洗面装置となる。
【発明を実施するための最良の形態】
【００１０】
以下、この発明にかかる取付基盤１１と洗面盤１２とからなる洗面装置を、図１乃至図７を用いて具体的に説明する。その使用時の形態例を図１に示す。取付基盤１１は壁面に接しており、この取付基盤１１から水を受ける面を上にして洗面盤１２が手前側に延びている。この洗面盤１２は取付基盤１１に対して回動可能に取り付けられており、図２のように水を受ける面を取付基盤１１側へ向けて立てて格納することで、使用時よりも手前方向への占有幅を小さくすることができる。
【００１１】
取付基盤１１のみの形態を図３に示す。取付基盤１１は、壁面に接する基盤本体２１と、基盤本体２１の前面で洗面盤１２より上方に取り付けられ水を供給する水道口２２と、図１中に図示されていない基盤本体２１の下部に設けられ水を排水する排水口２３とを有する。排水口２３は、取付基盤１１の下部にあり、使用時には上方から見ても洗面盤１２に遮られて見えないようになっている。
【００１２】
上記の洗面盤１２を取付基盤１１に回動可能に取り付ける方法としては、例えば、以下のような方法が挙げられる。まず、取付基盤１１の左右に図３に記載のような側壁２４を設け、この側壁２４の内側に向けて、回動軸となる柱状突起２５を設ける。一方で洗面盤１２には、図４のように、水を受ける面側から切り込み、使用時の手前側に向けて折れ曲がり、途中で行き止まる溝３１が設けられている。
【００１３】
これを嵌めるには、まず図５に示す横方向から見た図のように、溝３１と柱状突起２５を合わせ、この溝３１に沿って柱状突起２５を行き止まりまで挿入する。次に図５の想像線のように、溝３１と基盤本体２１を並行にして、溝３１の行き止まりまで柱状突起２５を挿入する。取付基盤１１を床面に置いた上で洗面盤１２を取り付ける場合には、洗面盤１２をわずかに持ち上げて挿入することとなる。こうして、図６のようにすることで、柱状突起２５が回動軸となり、洗面盤１２が取付基盤１１に対して回動可能となる。ただし、溝３１の折れ曲がる角度は鋭角となり、使用時における洗面盤の水平方向より上方を向いている必要がある。溝３１が水平方向よりも下方に向いていると、使用時に溝３１の行き止まりに柱状突起２５が固定されなくなり、洗面盤１２が滑り落ちてしまうおそれがある。また、手前側ではなく、取付基盤１１側に折れ曲がっていると、洗面盤１２を立てた際に、同様に、溝３１の行き止まりに柱状突起２５が固定されなくなり、洗面盤１２が滑り落ちてしまうおそれがある。
【００１４】
また別の方法として、取付基盤１１の側壁３４に固定した回動軸に、洗面盤１２を貫通させることで回動可能に取り付ける方法も挙げられる。ただし、上記の柱状突起２５と溝３１を用いた方が、洗面盤１２の取り外しが容易で、メンテナンスがし易く、また、洗面盤１２で貫通部分を確保するための余分な肉厚が必要でなくなるため、より好ましい。
【００１５】
このように取付基盤１１に回動可能に取り付けられた洗面盤１２は、使用時にはその一部が取付基盤１１に設けられた張り出し部に当たることでストッパーとなって、洗面盤１２の重量を支えることで水平方向に固定される。また、使用後に洗面盤１２を回動させて立てる際には、上記張り出し部はその動きを阻害しないように設けてある。
【００１６】
このような張り出し部としては、例えば、図３に記載のような、基盤本体２１に対して垂直に延びる水平張り出し部２６が挙げられる。この水平張り出し部２６は、洗面盤１２を回動可能に取り付ける回動軸よりも上方に取り付けられてある。図４に記載のような洗面盤１２の、水を受ける部分３２を囲む周壁３３のうち、溝３１の行き止まりより奥側となる、取付基盤１１側の縁３４の少なくとも一部が、図６のように、この水平張り出し部２６に下方から当たることで、洗面盤１２の手前側が水平方向より下に向かないように固定するストッパーとなる。
【００１７】
なお、このような水平張り出し部２６は、この発明にかかる洗面装置において、石けんなどの洗面装置に必要な物品を置く台として用いることもできる。また、水平張り出し部２６の中央に切り欠け２８を設けていると、水道口２２から落ちる水滴が水平張り出し部２６に落ちて、その上面に水が溜まることを回避できる。
【００１８】
この水平張り出し部２６が、張り出す方法に弧が向いた弧状部分を有しており、なおかつ、洗面盤１２の水を受ける面３２の底面が、洗面盤１２を立てた際に水平張り出し部２６の弧状部分に沿うように、左右が浅く中央が深い弧状面となっていると、洗面盤１２を立てて格納する際に手前方向に余分な幅をとることなく、水平張り出し部２６の手前側への張り出し幅を出来るだけ広げることができる。
【００１９】
また別の上記張り出し部としては、図６に記載のような、取付基盤１１の下部から上方に延びる、上方張り出し部２７が挙げられる。この上方張り出し部２７は、上記回動軸より下方かつ手前側に取り付けられてある。この上方張り出し部２７の上方端２９に、洗面盤１２の水を受ける面３２と反対側の背面３６が当たることで、洗面盤１２が下方へ倒れるのを防ぎ、水平方向に向けて固定するストッパーとなる。このような上方張り出し部２７の上端端２９は水平でなくてもよく、洗面盤１２の背面３６が水を受ける面３２の湾曲に合わせて湾曲している場合には、上端縁がその湾曲に合わせた曲線であると、洗面盤１２の重量を分散して支えることができるのでより好ましい。
【００２０】
また、このような上方張り出し部２７は、洗面盤１２から排水口２３へ排水する際に、水が足下に飛び散ることを防ぐカバーにもなる。従って排水口２３よりも手前側にあると好ましい。
【００２１】
この発明にかかる洗面装置としては、上記の水平張り出し部２６のみ又は上記の上方張り出し部２７のみによって洗面盤１２のストッパーとするものでもよいし、上記の水平張り出し部２６及び上方張り出し部２７を両方備えて洗面盤１２のストッパーとするものでもよい。上記の水平張り出し部２６のみをストッパーとすると、支えている点を目立ちにくくすることができる。また、上記の水平張り出し部２６及び上方張り出し部２７の両方により洗面盤１２を固定するようにすると、洗面盤１２の重量によりかかる力が分散される。
【００２２】
また、洗面盤１２の水を受ける面にたまった水は、洗面盤１２を立てる際に、洗面盤１２から取付基盤１１の下部へ流れ落ち、排水口２３から排出される。この際に、上記の洗面盤１２が、周壁３３のうち、取付基盤１１側に切り欠け３５を有していると、水を受ける面３２からの排水が効率よく行われるため好ましい。また、このような切り欠け３５があると、水を受ける面３２から水が溢れる前に、溜まった水を排水口２３に流すこともできる。
【００２３】
この発明にかかる洗面装置の他の形態としては、例えば図７に記載の構造が挙げられる。すなわち、水道口２２が基盤本体２１ではなく、水平張り出し部２６に設けられている。基盤本体２１に設ける場合と同様に、前面に向いているので、同様の取り扱いが可能である。また、このような構造の場合、基盤本体２１の前面側が鏡面４１に覆われているものでもよい。鏡面４１が設けてあると、使用時に自分の顔等を鏡面４１で確認することができる。
【図面の簡単な説明】
【００２４】
【図１】この発明にかかる洗面装置の例における使用状態を示す図
【図２】図１の洗面装置の洗面盤を格納した状態を示す図
【図３】図１の洗面装置の取付基盤のみを示す図
【図４】図１の洗面装置の洗面盤のみを示す図
【図５】図１の洗面装置の取付基盤と洗面盤とを外した状態を側壁方向から見た図
【図６】図１の洗面装置の洗面盤を取り付けた使用状態を側壁方向から見た図
【図７】この発明にかかる洗面装置の、鏡面を有する他の例の使用状態を示す図
【符号の説明】
【００２５】
１１  取付基盤
１２  洗面盤
２１  基盤本体
２２  水道口
２３  排水口
２４  側壁
２５  柱状突起
２６  水平張り出し部
２７  上方張り出し部
２８  切り欠け
２９  上方端
３１  溝
３２  水を受ける面
３３  周壁
３４  縁
３５  切り欠け
３６  背面
４１  鏡面
【図１】
2008029806.tif 000003
【図２】
2008029806.tif 000004
【図３】
2008029806.tif 000005
【図４】
2008029806.tif 000006
【図５】
2008029806.tif 000007
【図６】
2008029806.tif 000008
【図７】
2008029806.tif 000009